(57)【要約】【課題】シャッター開閉時における風打音を低減する。スラットの端部における傷の発生を低減させる。【解決手段】スラット端部を受け入れるガイド溝５の該スラット端部に対向する部分に、ガイドレール１の長さ方向に延出する繊維ベルト３を設ける。好ましい態様では、ガイド溝５の該スラット端部に対向する部分には消音樹脂２が装着されており、繊維ベルト３は消音樹脂２に貼着されている。さらに好ましくは、繊維ベルト３は、ポリエステルを綾織りして形成された織物ベルトである。【選択図】　図１
2004060285.tif 000002
【特許請求の範囲】
【請求項１】
スラット端部を受け入れるガイド溝の該スラット端部に対向する部分に、ガイドレールの長さ方向に繊維ベルトを延設したことを特徴とするシャッター用ガイドレールの構造。
【請求項２】
請求項１において、該ガイド溝の該スラット端部に対向する部分には消音樹脂が装着されており、該繊維ベルトは該消音樹脂に貼着されていることを特徴とするシャッター用ガイドレールの構造。
【請求項３】
請求項１，２いずれかにおいて、該繊維ベルトは織物から形成されており、該繊維ベルトの表面に形成される畝は該繊維ベルトの長さ方向に沿って延出していることを特徴とするシャッター用ガイドレールの構造。
【請求項４】
請求項１乃至３いずれかにおいて、該繊維ベルトは、繊維を綾織りすることで形成されていることを特徴とするシャッター用ガイドレールの構造。
【発明の詳細な説明】
【０００１】
【発明の属する技術分野】
本発明はシャッター装置におけるガイドレールの構造に関するものである。
【０００２】
【従来の技術】
シャッター装置においては、複数のスラットを上下に連設してシャッターカーテンを構成し、該シャッターカーテンの水平方向端部を、建物開口部の左右に立設したガイドレールのガイド溝内に臨ませ、シャッター開閉時には、シャッターカーテンの端部をガイド溝によって案内するように構成されている。
【０００３】
通常、スラット及びガイドレールは共に金属から形成されており、シャッターの開閉時に直接金属同士が接触あるいは当接すると、不快な音が発生したり、部材に傷が付くおそれがある。したがって、シャッター開閉時におけるメタルタッチを防止するべく、ガイドレールのガイド溝に、上下方向に延出する消音樹脂を設けることがある（図１（ａ））。
【０００４】
しかしながら、消音樹脂を設けたものは、直接金属同士が接触あるいは当接する場合に比べて優れており、実用に耐え得るものではあるが、消音樹脂は硬質の塩化ビニル樹脂等から構成されており、依然として、シャッター開閉時に風打音が発生したり、樹脂との摩擦や当接等によってスラットの端部に傷が付くおそれがあった。
【０００５】
【発明が解決しようとする課題】
本発明は、前記不具合を解決するべく創案されたものであって、▲１▼シャッター開閉時における風打音を低減すること、▲２▼スラットの端部における傷の発生を低減させること、を目的とするものである。
【０００６】
【課題を解決するための手段】
かかる課題を達成するために本発明が採用した技術手段は、スラット端部を受け入れるガイド溝の該スラット端部に対向する部分に、ガイドレールの長さ方向に繊維ベルトを延設したことを特徴とするものである。こうすることで、シャッター開閉時に、スラット端部は繊維ベルトに摺接あるいは当接することになる。
【０００７】
好ましくは、該ガイド溝の該スラット端部に対向する部分には消音樹脂が装着されており、該繊維ベルトは該消音樹脂に貼着されている。さらに、好ましくは、消音樹脂は、ガイドレールに対して長さ方向にスライドさせたり、あるいは、正面から嵌入装着させたりすることで装着可能であり、消音樹脂に予め繊維ベルトを貼着しておけば、繊維ベルトを有する消音樹脂をガイドレールに装着することで、繊維ベルトを備えたガイドレールを構成することができる。
【０００８】
好ましくは、該繊維ベルトは織物から形成されており、該織物を構成する糸によって該繊維ベルトの表面に形成される畝は該繊維ベルトの長さ方向に沿って延出している。「繊維ベルトの長さ方向に沿って延出する」とは、必ずしも繊維ベルトの長さ方向に平行に延出する必要はなく、繊維ベルトの長さ方向に対して傾斜状に延出するものも含む。織物は、経糸と緯糸とが交差して組織されたものであり、経糸が緯糸に乗り上げることによって凸部となり、交差の仕方によって、この凸部が連続的に形成されて織物表面に畝を形成する。繊維ベルトの表面に形成される凸状の畝が繊維ベルトの長さ方向に対してより平行に延出するほど、スラットの移動方向に沿った抵抗がより小さくなり、シャッター開閉時の開閉音および操作力の低減を図ることができる。好ましい具体例では、該繊維ベルトは、繊維を綾織りすることで形成されている。
【０００９】
【発明の実施の形態】
本発明の実施の形態を図面に基づいて説明する。図１（ｂ）はガイドレール１の断面図であって、本実施形態では、図１（ａ）に示す消音樹脂を有する現行のガイドレール１において、消音樹脂２に繊維ベルト３を貼り付けたものを示す。図３は、本発明に係るガイドレールとスラットとの取り合いについて示す断面図である。
【００１０】
ガイドレール１は、対向する二つの見付辺１０，１１と、見付辺１０，１１の一端側を連結する見込辺１２から一体形成された断面視略コ字状の長尺材である。見付辺１０，１１の他端側は、折り返し折曲されて折曲辺１３が形成されており、対向する折曲辺１３間にスラット４を受け入れるガイド溝５が形成されている。具体的には、折曲辺１３は、見込辺１２に略平行状に延出する見込部１３０と見込部１３０の延出端からさらに折り返すように折曲してなる湾曲部１３１とから構成されており、湾曲部１３０は見付辺１０，１１に向かって戻るように傾斜状に延出している。尚、折曲辺１３は他の形状であってもよく、例えば、見込部１３０と、見付辺１０，１１に平行状に延出する見付部（湾曲部１３１に代えて）とから断面視略Ｌ形状であってもよい。
【００１１】
折曲辺１３には、ガイドレールの長さ方向に沿って延出する長尺状の消音樹脂２が装着されている。消音樹脂２は硬質塩化ビニル樹脂等の樹脂から形成されている。消音樹脂２は断面視において、二片２００，２０１から略Ｌ形状に形成された支持辺２０と、対向する湾曲状の二片２１０，２１１からなる係合受辺２１とを有する。係合受辺２１の一方の片２１１には、ガイドレール１の見付辺１０，１１に略平行して延出する見付片２２が一体形成されており、見付片２２には繊維ベルト３が貼着されている。繊維ベルト３は、例えば、ホットメルトを接着剤として見付片２２に装着される。このようにして、対向する一対の繊維ベルト３間にガイド溝５が形成され、スラット４の端部はガイド溝５に受け入れられた状態では、繊維ベルト３に対向しており（図３参照）、スラット４の端部は、シャッター開閉時等には、繊維ベルト３に対して当接あるいは摺接する。
【００１２】
消音樹脂２はガイドレール１の長さ方向にスライドさせるようにして、ガイドレール１の折曲辺１３に装着される。具体的には、消音樹脂２の係合受辺２１に折曲辺１３の湾曲部１３１を受け入れ、支持辺２０の一の片２００をガイドレール１の見付辺１０，１１の内壁に当接させて、ガイドレール１に対して消音樹脂２を摺動させることで、消音樹脂２はガイドレール１に取り付けられる。繊維ベルト３を予め消音樹脂２に貼着しておけば、繊維ベルト３を有する消音樹脂２をガイドレール１に装着することで、繊維ベルト３を備えたガイドレール１を形成することができる。
【００１３】
繊維ベルトを構成する繊維の種類は限定されず、繊維ベルトを構成する繊維は、織物、編物、不織布、フェルトを含む。繊維ベルトの繊維の材質も特には限定されないが、好ましい例では、繊維ベルトは、ナイロンあるいはポリエステル、またはこれらを主材（すなわち、他の繊維が混ざっていてもよい）とした繊維から構成される。
【００１４】
好ましい形態では、繊維ベルトは、織物あるいは編物であり、繊維ベルトの表面に形成される凸状の畝が、繊維ベルトの長さ方向に沿って延出するように織られる、あるいは編まれている。織物は、経糸と緯糸とが交差して組織されたものであり、経糸が緯糸に乗り上げることによって凸部となり、交差の仕方によって、この凸部が連続的に形成されて繊維ベルトの表面に畝を形成する。ここで、「繊維ベルトの長さ方向に沿って」とは、必ずしも、繊維ベルトの長さに平行に延出するもののみを指すものではなく、繊維ベルトの長さ方向に対して角度を持って傾斜状に延出するものも含む。繊維ベルトを構成する繊維が繊維ベルトの長さ方向に沿って延出することによって、繊維ベルトのスラットが当接する面の、スラットの移動方向に対する抵抗が少なくなり、シャッター開閉時における発生音をより低減することができる。好ましい一つの実施例では、繊維ベルトは、ポリエステルを綾織して形成された織物ベルトであり、０．６ｍｍ（厚）×５ｍｍ（幅）の寸法を有している。
【００１５】
図２は、繊維の編み方あるいは織り方を説明する図であって、（ａ）は、綾織り（斜文織り）からなる繊維ベルト３を示しており、繊維ベルト３の表面に形成される畝（凸部）３０は繊維ベルト３の長さ方向に沿って傾斜状に延出している。綾織りでは、経糸が予め決められた本数の緯糸をずらせて通っているので、経糸が緯糸に乗り上げて形成される凸部が、繊維ベルトの長さ方向に対して斜め状に連続して形成される。
【００１６】
図２（ｂ）は、平織りからなる繊維ベルト３を示しており、繊維ベルト３の表面において、畝（凸部）３０は繊維ベルト３の長さ方向に直交するように横方向に延出している。平織りでは、経糸に対して緯糸が１本おきに通っており、繊維ベルト３の幅方向に延出する緯糸に対して各経糸が乗り上げており（乗り上げることによって凸状となる）、この経糸が該緯糸に対して（繊維ベルトの幅方向に）密に設けられることで、全体として繊維ベルト３の幅方向に延びる凸状の畝３０が形成される。畝３０は複数の経糸から構成されている。
【００１７】
図２において、繊維ベルトの表面に形成された凸状の畝３０の構成を比較すると、（ａ）の場合は、繊維ベルト３の表面の畝３０は繊維ベルトの長さ方向に沿って傾斜状に延出しているのに対して、（ｂ）のものでは、繊維ベルト３の表面の畝が３０は、繊維ベルト３の長さ方向に直交して延出している。したがって、スラット４の昇降時において、（ａ）のものが（ｂ）のものにくらべて繊維ベルト３の表面の抵抗が小さく、（ａ）に示す繊維ベルトが、開閉音及び操作力の低減において有利である。
【００１８】
【発明の効果】
本発明においては、スラット端部は繊維ベルトに対して当接あるいは摺接することになり、繊維ベルトは樹脂に比べて弾力性を有しており、風打音およびスラット端部における傷の発生を低減することができる。また、繊維ベルトを消音樹脂（従来用いているもの）に貼着するものにおいては、従来と同じ取付方法で、繊維ベルトを備えたガイドレールを組立てることができ、施工性が良好である。さらに、該繊維ベルトの表面の畝が該繊維ベルトの長さ方向に沿って延出するものにおいては、シャッター開閉時における開閉音及び操作力を一層低減することができる。
【図面の簡単な説明】
【図１】（ａ）は消音樹脂を備えた従来のガイドレールの断面図、（ｂ）は繊維ベルトを備えた本発明に係るガイドレールの断面図である。
【図２】繊維ベルトを部分的に示す正面図および縦断面図であって、（ａ）は綾織り、（ｂ）は平織りからなる繊維ベルトを示している。
【図３】本発明に係るガイドレールとスラットとの関係を示す断面図である。
【符号の説明】
１　ガイドレール
２　消音樹脂
３　繊維ベルト
【図１】
2004060285.tif 000003
【図２】
2004060285.tif 000004
【図３】
2004060285.tif 000005